(57)【要約】【課題】背見出収納部標題紙フォルダー部の標題紙の脱落防止を図る。【解決手段】標題紙フォルダー部の蓋部をドア形式に開閉可能か又はその位置において取外可能に装着し、フォルダー部に標題紙脱落防止可能係止具を設置する切欠部を設置し、かつ当該係止具を添付する。又は、標題紙フォルダー部長尺方向端部それぞれに標題紙脱落防止可能係止部を設置するか又は当該目的実現可能な係止具を添付する。【選択図】図１
2013226780.tif 000002
【特許請求の範囲】
【請求項１】
背見出収納部の標題紙フォルダー部であって、
該フォルダー部は、ドア形式に開閉可能か又はその位置において取外可能な蓋部を有し、
前記フォルダー部に標題紙脱落防止可能係止具を設置するための切欠部が設置され、かつ当該係止具が添付された、
ことを特徴とするフォルダー部。
【請求項２】
背見出収納部の標題紙フォルダー部であって、
該フォルダー部は、ドア形式に開閉可能か又はその位置において取外可能な蓋部を有し、
前記フォルダー部に標題紙脱落防止可能係止部が設置されたか又は当該目的実現可能な係止具が添付された、
ことを特徴とするフォルダー部。
【請求項３】
フォルダー部に標題紙摺動可能起立部が設置されたか又は当該目的実現可能な起立具が添付された請求項１又は請求項２のフォルダー部。
【請求項４】
請求項１乃至請求項３いずれか記載のフォルダー部が設置された背見出収納具。
【請求項５】
請求項１乃至請求項４いずれか記載のフォルダー部又は背見出収納具が設置されたファイリング用具及び書籍等。
【発明の詳細な説明】
【技術分野】
【０００１】  背見出収納部に関する。
【背景技術】
【０００２】  本発明は、背見出収納部標題紙フォルダー部長尺方向の標題紙脱落防止構造を有するフォルダー部に関する発明である。
本発明が対象とする背見出収納部標題紙フォルダー部は、全体が開閉可能か又は取外可能である。
これまでの調査によれば、標題紙フォルダー部が、ドア形式に開閉可能か又はその位置において取外可能な標題紙フォルダー部を持った背表紙収納部を有する市販商品も従来技術文献もない。
しかしながら従来技術文献において、本発明に比較的近いと思われるものは以下のとおりである。
容積の調整が可能な折り畳み式書類ファイルにおいて、該書類ファイルに穴を開ける技術を提案したものがある。（例えば、特許文献１参照）。しかし当該技術は、ファイル内に多少の空気が循環できるようにするための穴（切欠）であって、紙類の劣化防止を目的とした技術である。本発明のように、標題紙脱落防止可能係止具を設置するための切欠部ではない。また本文献には、突起が設置される技術が記載されているが、当該突起は、挿入する標題紙を貫通させ支持させるものではない。（特許文献１参照）。
また、透明シートの内側にケースの丈よりも丈の短い印刷紙を挿入するケースに関する文献がある。（例えば、特許文献２参照）。当該文献に記載されている切欠技術は、印刷紙の滑落防止係合手段として設置されたスリット（切欠）である。本発明のように標題紙脱落防止係止具を設置するためのものではなく、標題紙脱落防止可能係止具も添付されていない。また当該文献の技術は、着脱口を天部端に設け他の三辺外周部が閉じられており、本発明のように蓋部が開閉可能であるか又は取外可能としたものではない。（特許文献２）。
また、背表紙標題紙の見出し保持具において、スライド式の天部端に標題紙着脱口を設置し、標題紙を着脱する技術を提案した文献がある。（例えば、特許文献３参照）。
当該文献では、標題紙を背表紙部に沿って上下にスライドさせ、フォルダー部に突起が設置されている。しかし当該文献の突起は、標題紙の脱落防止を図ることを目的とし、標題紙を貫通して支持するものではない。また当該文献は、蓋部をドア型に開閉可能とするか又はその位置において取外可能とした技術ではない。（特許文献３）。
【先行技術文献】
【特許文献】
【０００３】
【特許文献１】  特表平９−５０３７１４号公報
【特許文献１】  特開２０００−７９９８２号公報
【特許文献２】  実開平５−７４８８１号公報
【発明の概要】
【発明が解決しようとする課題】
【０００４】  本発明の課題は、背見出収納部標題紙フォルダー部の標題紙脱落防止を図ることである。
【課題を解決するための手段】
【０００５】  本発明の解決手段は、二通りある。
一つの解決手段は、標題紙の脱落防止を図るために、標題紙フォルダー部に切欠部を設置し、当該切欠部に設置する標題紙脱落防止可能な係止具を添付する方法である。
二つ目の解決手段は、標題紙フォルダー部長尺方向端部それぞれに標題紙脱落防止可能係止部を設置するか又は当該目的実現可能な係止具を添付する方法である。
【発明の効果】
【０００６】  本発明によって、背見出収納部の標題紙脱落防止を図ることができる。
従来技術にはない技術であり、新たな商品開発が期待できる。
【図面の簡単な説明】
【０００７】
【図１】  請求項１の切欠部が設置されたファイリング用具の１例を示した斜視図である。
【図２】  図１の切欠部に設置される標題紙脱落防止可能係止具の１例を示した拡大斜視図である。
【図３】  図１の切欠部に設置される標題紙脱落防止可能係止具の１例を示した拡大斜視図である。
【図４】  請求項５に基づいて作成された背見出収納具がファイリング用具の背表紙部に設置された模様の一例を示した斜視図である。
【図５】  図４の天部側に設置された標題紙脱落防止可能係止部の一つである突起の一例を示した正面図である。
【図６】  図５の突起受の一例を示した平面図である。
【図７】  図６の突起受の正面図である。
【図８】  図４の地部側に設置された標題紙脱落防止可能係止部の一例を示した斜視図である。
【図９】  請求項２の標題紙脱落防止可能係止部の一例として、Ｕ字溝型係止部の一例を示した斜視図である。
【図１０】  請求項２の標題紙脱落防止可能係止部の一例として、筒型係止部の一例を示した斜視図である。
【図１１】  ドア形式に開閉する背見出収納部標題紙フォルダー部において、地部側に標題紙係止可能係止部としてファスナーが設置された一例を示した斜視図である。
【図１２】  図１１のファスナーが係合した模様の１例を示した拡大模式図である。
【図１３】  ドア形式に開閉可能な背見出収納部において、標題紙係止可能係止部として舌片が設置された下地シートの一例を示した正面図である。
【図１４】  標題紙脱落防止可能係止具の１例を示した側面図である。
【図１５】  図１４の正面図である。
【図１６】  請求項２に基づいて作成された、その位置で取外可能な蓋部を有する標題紙フォルダー部外周部に標題紙脱落防止可能係止部が設置された模様の１例を示した分解斜視図である。
【発明を実施するための形態】
【総記】
【０００８】  本発明の請求項１及び請求項２それぞれの係止具及び係止部は、請求項３に定める起立部を兼ねることができるものとする。また、請求項３の起立部は請求項１及び請求項２それぞれの係止具及び係止部を兼ねることができるものとする。
本発明の請求項１の標題紙脱落防止可能係止部には、当該目的実現可能な突起も含まれるものとする。
本発明の各請求項に基づく各部の素材の選定、構造、組み立て方等及び本明細書に記載された事項に基づく対応は本発明の設計事項とする。また本発明の背見出収納部各部にカラーの素材を使用すること、縁取りを設けること、フリル等を設置することは、本発明の範囲とする。
【実施例１】
【０００９】  図１は、請求項１の切欠部が設置されたファイリング用具の１例を示した斜視図である。
ファイリング用具は、背表紙が伸縮自在型のものである。
標題紙フォルダー部は、二重シートか又は一重シートと背表紙基盤とにより構成されている。
請求項１の切欠部は、二重シートか又は一重シートと背表紙基盤とを貫通して設置されるケースと標題紙フォルダー部の表側シートのみに設置されるケースがある。
前者の場合は、標題紙脱落防止可能係止具は、切欠部を通して当該フォルダー部を結束する形式の係止具が要求される。後者の場合は、当該係止具の一部が予め二重シートの下地シート又は背表紙基盤に設置され、それに係合される形式の係止具が要求される。
切欠部の形、サイズ、位置及び並べ方等は、添付する係止具及び本体背表紙の内容によって決定する必要がある。
図２は、図１の切欠部に設置される標題紙脱落防止可能係止具の１例を示した拡大斜視図である。
図３は、図１の切欠部に設置される標題紙脱落防止可能係止具の１例を示した拡大斜視図である。
【実施例２】
【００１０】  図４は、請求項５に基づいて作成された背見出収納具がファイリング用具の背表紙部に設置された模様の一例を示した斜視図である。当該背見出収納部は二重シート構造であって、ユーザーが所持しているファイリング用具等の背表紙部に、自分で設置するものである。天部側の突起（２３）は、標題紙を貫通して設置する標題紙係止可能係止部の一例である。当該突起受部（２５）は、突起による表側シートの破損防止を目的に設置される。
図５は、図４の天部側に設置された標題紙脱落防止可能係止部の一つである突起の一例を示した正面図である。
図６は、図５の突起受の一例を示した平面図である。
図７は、図６の突起受の正面図である。
図８は、図４の地部側に設置された標題紙脱落防止可能係止部の一例を示した斜視図である。
図９は、請求項２の標題紙脱落防止可能係止部の一例として、Ｕ字溝型係止部の一例を示した斜視図である。
図１０は、請求項２の標題紙脱落防止可能係止部の一例として、筒型係止部の一例を示した斜視図である。
図１１は、ドア形式に開閉する背見出収納部標題紙フォルダー部において、地部側に標題紙係止可能係止部としてファスナーが設置された一例を示した斜視図である。
図１２は、図１１のファスナーが係合した模様の１例を示した拡大模式図である。
図１３は、ドア形式に開閉可能な背見出収納部において、標題紙係止可能係止部として舌片が設置された下地シートの一例を示した正面図である。
図１４は、標題紙脱落防止可能係止具の１例を示した側面図である。
図１５は、図１４の正面図である。
【実施例３】
【００１１】  図１６は、請求項２に基づいて作成された、その位置で取外可能な蓋部を有する標題紙フォルダー部外周部に標題紙脱落防止可能係止部が設置された模様の１例を示した分解斜視図である。
６５から６８が着脱可能なとめ具付起立部である。当該起立部は、下地板と蓋板が互い違いに設置されており、当該接触面にとめ具が設置され、当該とめ具の摩擦力により係止される構造である。
【符号の説明】
【００１２】１  背表紙部伸縮自在型ファイリング用具
１１  背表紙部
１２  標題紙脱落防止可能係止具が設置される切欠部（天部側）
１３  標題紙脱落防止可能係止具が設置される切欠部（地部側）
２  ドア形式に開閉可能な背見出収納部
２１  背見出収納部下地シート
２２  背見出収納部表側シート
２３  標題紙脱落防止可能係止部である突起
２４        同上                    突起受部
２５  標題紙脱落防止可能係止部
３  ドア形式に開閉可能な背見出収納部
３１  背見出収納部下地シート
３２  背見出収納部表側シート
３３  標題紙脱落防止可能係止部であるファスナー受部
３４        同上                    ファスナー掛部
５  標題紙脱落防止可能係止部及び標題紙摺動可能起立部が設置された背見出収納部の下地シート
５１  標題紙脱落防止可能係止部（舌片）
５２  標題紙摺動可能起立部
５３  標題紙摺動可能起立部
５４  標題紙脱落防止可能係止部
６  蓋をその位置において着脱可能な背見出収納部
６１  背見出収納部下地板
６２  背見出収納部蓋板
６３  標題紙脱落防止可能係止部
６４  標題紙脱落防止可能係止部
６５  蓋部の取外可能なとめ具付起立部
６６  蓋部の取外可能なとめ具付起立部
６７  蓋部の取外可能なとめ具付起立部
６８  蓋部の取外可能なとめ具付起立部
【図１】
2013226780.tif 000003
【図２】
2013226780.tif 000004
【図３】
2013226780.tif 000005
【図４】
2013226780.tif 000006
【図５】
2013226780.tif 000007
【図６】
2013226780.tif 000008
【図７】
2013226780.tif 000009
【図８】
2013226780.tif 000010
【図９】
2013226780.tif 000011
【図１０】
2013226780.tif 000012
【図１１】
2013226780.tif 000013
【図１２】
2013226780.tif 000014
【図１３】
2013226780.tif 000015
【図１４】
2013226780.tif 000016
【図１５】
2013226780.tif 000017
【図１６】
2013226780.tif 000018
【手続補正書】
【提出日】平成24年5月24日(2012.5.24)
【手続補正１】
【補正対象書類名】明細書
【補正対象項目名】０００３
【補正方法】変更
【補正の内容】
【０００３】
【特許文献１】特表平９−５０３７１４号公報
【特許文献２】特開２０００−７９９８２号公報
【特許文献３】実開平５−７４８８１号公報
【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
二重シートで構成された背幅調整可能なファイリング用具の背見出収納部の標題紙フォルダー部であって、  前記標題紙フォルダー部表側シートと下地シート双方のシートに標題紙脱落防止可能係止具を設置するための切欠部が設置されかつ当該標題紙脱落防止可能係止具が添付されたことにより、当該標題紙フォルダー部長尺方向両端部双方から標題紙脱落防止可能とされた、  ことを特徴とする標題紙フォルダー部を有する背見出収納具。
【請求項２】
二重シートで構成された背幅調整可能なファイリング用具の背見出収納部の標題紙フォルダー部であって、前記標題紙フォルダー部表側シートと下地シートにわたって標題紙脱落防止可能係止具部としてファスナー部が設置されたことにより、当該標題紙フォルダー部長尺方向両端部双方から標題紙脱落防止可能とされた、  ことを特徴とする標題紙フォルダー部を有する背見出収納具。
【請求項３】
標題紙フォルダー部に標題紙摺動可能起立部が設置されたか又は当該目的実現可能な起立具が添付された請求項１又は請求項２の標題紙フォルダー部を具備する背見出収納具。
【請求項４】
請求項１乃至請求項３いずれか記載の標題紙フォルダー部を具備する背見出収納具。
【手続補正２】
【補正対象書類名】明細書
【補正対象項目名】０００７
【補正方法】変更
【補正の内容】
【０００７】
【図１】請求項１の切欠部が設置されたファイリング用具の１例を示した斜視図である。
【図２】図１の切欠部に設置される標題紙脱落防止可能係止具の１例を示した拡大斜視図である。
【図３】図１の切欠部に設置される標題紙脱落防止可能係止具の１例を示した拡大斜視図である。
【図４】  標題紙係止可能係止部としてファスナー部が標題紙フォルダー部地部側に設置された一例を示した斜視図である。（設置例は、開閉可能な背見出収納部標題紙フォルダー部）
【図５】  図４のファスナーが係合した模様の１例を示した拡大模式図である。
【手続補正３】
【補正対象書類名】明細書
【補正対象項目名】０００８
【補正方法】変更
【補正の内容】
【０００８】  本発明の請求項１及び請求項２それぞれの標題紙脱落防止可能係止部には、当該目的実現可能な突起も含まれるものとする。  本発明の各請求項に基づく各部の素材の選定、構造、組み立て方等及び本明細書に記載された事項に基づく対応は本発明の設計事項とする。また本発明の背見出収納部各部にカラーの素材を使用すること、縁取りを設けること、フリル等を設置することは、本発明の範囲とする。
【手続補正４】
【補正対象書類名】明細書
【補正対象項目名】０００９
【補正方法】変更
【補正の内容】
【０００９】  図１は、請求項１の切欠部が設置されたファイリング用具の１例を示した斜視図である。  ファイリング用具は、背表紙が伸縮自在型のものである。  標題紙フォルダー部は、二重シートにより構成されている。  請求項１の切欠部は、二重シートを貫通して設置される。この場合は、標題紙脱落防止可能係止具は、切欠部を通して当該フォルダー部を結束する形式の係止具が要求される。  切欠部の形、サイズ、位置及び並べ方等は、添付する係止具及び本体背表紙の内容によって決定する必要がある。  図２は、図１の切欠部に設置される標題紙脱落防止可能係止具の１例を示した拡大斜視図である。  図３は、図１の切欠部に設置される標題紙脱落防止可能係止具の１例を示した拡大斜視図である。
【手続補正５】
【補正対象書類名】明細書
【補正対象項目名】００１０
【補正方法】変更
【補正の内容】
【００１０】  実施例２は、請求項２に関するものである。図４は、請求項２の標題紙係止可能係止部としてファスナー部が標題紙フォルダー部地部側に設置された一例を示した斜視図である。（設置例は、開閉可能な背見出収納部標題紙フォルダー部）図５は、図４のファスナーが係合した模様の１例を示した拡大模式図である。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】１  背表紙部伸縮自在型ファイリング用具    １１  背表紙部    １２  標題紙脱落防止可能係止具が設置される切欠部（天部側）    １３  標題紙脱落防止可能係止具が設置される切欠部（地部側）３  背見出収納部標題紙フォルダー部に設置された標題紙脱落防止可能係止部であるファ  スナー    ３１  背見出収納部下地シート    ３２  背見出収納部表側シート    ３３  標題紙脱落防止可能係止部であるファスナー受部    ３４        同上                    ファスナー掛部
【手続補正８】
【補正対象書類名】図面
【補正対象項目名】全図
【補正方法】変更
【補正の内容】
【図１】
2013226780.tif 000019
【図２】
2013226780.tif 000020
【図３】
2013226780.tif 000021
【図４】
2013226780.tif 000022
【図５】
2013226780.tif 000023